(57)【特許請求の範囲】
【請求項１】
旋回レバーで操作される締付装置を有する空気圧で作動されるディスクブレーキのブレーキパッドおよびブレーキディスクの摩耗を調整するための調整装置であって、
（ａ）駆動リングの軸方向の一方の側にスラスト軸受が形成され、前記駆動リングの軸方向の他方の側に、フリーホイール機能を有するボールランプクラッチが形成され、
（ｂ）前記ボールランプクラッチが、ボールと、前記スラスト軸受と前記ボールとの間の軸方向駆動側に配置された前記駆動リングと、被駆動側のクラッチリングとを備え、
（ｃ）テーパクラッチが被駆動側の前記クラッチリングと円筒状コイルばね用のばねケースとの間に配置されている、
回転レバーで操作されるブレーキ作動装置を備えた前記ディスクブレーキのブレーキパッドとブレーキディスクの摩耗を調整するための調整装置において、
（ｄ）軸方向において前記テーパクラッチと前記ばねケースとの間に、係合部を有するトルクに依存するクラッチが配置されてなることを特徴とする調整装置。
【請求項２】
前記テーパクラッチがボールテーパクラッチであり、該ボールテーパクラッチが駆動側の前記クラッチリングと、トルクに依存する前記クラッチと協働する円錐ブッシュとを備え、被駆動側の前記クラッチリングと前記円錐ブッシュとの間にテーパボールが配置されていることを特徴とする請求項１に記載の調整装置。
【請求項３】
トルクに依存する前記クラッチが前記テーパクラッチの前記円錐ブッシュの一部とクラッチディスクとからなる爪車クラッチとして形成され、前記円錐ブッシュの一部とクラッチディスクがそれぞれ対応する歯状部を有し、前記クラッチディスクが前記ばねケースに連結されていることを特徴とする請求項２に記載の調整装置。
【請求項４】
対応する前記歯状部が前記テーパクラッチの一部に配置された第１端面歯状部と、前記クラッチディスクに配置された第２端面歯状部とを有することを特徴とする請求項３に記載の調整装置。
【請求項５】
トルクに依存する前記クラッチが、前記ボールランプクラッチよりも大きな伝達トルク用に形成されていることを特徴とする請求項１〜４のいずれか一項に記載の調整装置。
【請求項６】
前記駆動リングが駆動リング内側成形部を備え、前記被駆動側のクラッチリングがクラッチリング内側成形部を備え、前記両内側成形部がつば付きブッシュの外側成形部と協働し、このつば付きブッシュが前記ボールランプクラッチと被駆動側の前記クラッチリングとを通って軸方向に延在し、前記つば付きブッシュが前記外側成形部とは反対側の端部に、前記スラスト軸受の固定部分を形成するつばを備えていることを特徴とする請求項１〜５のいずれか一項に記載の調整装置。
【請求項７】
前記外側成形部と前記駆動リング内側成形部との当接を、前記外側成形部と前記クラッチリング内側成形部との当接よりも先行させるための角度遊びが、前記外側成形部と前記内側成形部との間に形成されていることを特徴とする請求項６に記載の調整装置。
【請求項８】
前記スラスト軸受の前記固定部分を形成する前記つば付きブッシュの他端が、前記ブレーキキャリパに取付け可能な軸受ディスクに相対回転しないように固定されていることを特徴とする請求項６または７に記載の調整装置。
【請求項９】
請求項１〜８のいずれか一項に記載の調整装置を備えたディスクブレーキ。
【発明の詳細な説明】
【技術分野】
【０００１】
本発明は、請求項１の前提部分に記載したディスクブレーキ、特に空気圧で作動されるディスクブレーキのための調整装置に関する。
【背景技術】
【０００２】
ディスクブレーキ用調整装置にはいろいろな実施形態が存在する。ディスクブレーキ用調整装置は、その内容全体が本明細書に引用される特許文献１から公知である。この調整装置は、空気圧で作動されるディスクブレーキ、特にスライディングキャリパ式ディスクブレーキに適している。しかしながら、この調整装置は、空気圧で作動される固定キャリパ式ディスクブレーキまたは揺動キャリパ式ディスクブレーキでも使用可能である。
【０００３】
空気圧で作動されるディスクブレーキは、大型輸送用車両に標準装備される。
【０００４】
このようなディスクブレーキは、必要な締め付け力を発生させるために、機械的変換装置を必要とする。なぜならば、空気圧で付勢されるブレーキシリンダの力が、圧力レベル（現在では約１０バール）およびブレーキシリンダの制限された大きさのために制限されるからである。現在知られている空気圧で作動されるディスクブレーキの場合、変換比は１０：１から２０：１の間である。ブレーキシリンダのピストン行程は５０〜７５ｍｍであり、それによって、ブレーキパッドをブレーキディスクに押し付けるための締め付けストロークは約４ｍｍである。
【０００５】
ブレーキパッドの摩擦材料部分の厚さは２０ｍｍの範囲内にあり、２個のパッドが組み込まれているので、ディスク摩耗を考慮しないと、約４０ｍｍの摩耗ストロークが生じる。このストロークは上記の締め付けストロークよりも何倍も大きい。従って、パッドの摩耗に対応して、装置を用いてブレーキを調整する必要がある。従来技術では自動的に作動する摩耗調整装置が知られている。この摩耗調整装置により、非操作状態でのブレーキパッドとブレーキディスクとの間の隙間を意味するいわゆる空隙が、ブレーキパッドの摩耗状態および摩耗特性に関係なく一定に保たれる。
【０００６】
輸送用車両においては、調整装置を備えたディスクブレーキを非常に多く見かける。この調整装置はねじ付きプランジャの中空室内に同心的に配置され、ブレーキレバーによって駆動要素（例えばシフトフィンガまたは歯車）を介して偏心的に駆動される。制動過程では、ブレーキシリンダのピストンロッドに連結されたブレーキレバーが回転運動を行う。調整のための連結機構（例えばシフトフォークとシフトフィンガまたは歯車）を介してブレーキレバーの回転運動が調整装置に伝達される前に、いわゆるアイドル行程を経なければならない。このアイドル行程は空隙の大きさを左右する。なぜなら、この運動中調整装置が働かず、従って締め付け距離が遊びとなるからである。この遊びを経た後に、調整装置が回動され、ねじ付きプランジャまたはねじ付き管との連結によって調整行程が開始される。
【０００７】
特許文献１には、図５に示されているような調整装置が開示されている。この調整装置は実質的に次の機能要素から構成されている。
【０００８】
・  軸２
・  軸受ディスク３
・  スラスト軸受４
・  つば付きブッシュ５
・  シフトフォークまたは駆動リング６
・  ボールランプクラッチ７
・  クラッチリング８
・  テーパクラッチ９
・  円筒状コイルばね１０
この説明に関しては、特許文献１が引用される。
【先行技術文献】
【特許文献】
【０００９】
【特許文献１】独国特許出願公開第１０ ２００４ ０３７ ７７１Ａ１号明細書
【発明の概要】
【発明が解決しようとする課題】
【００１０】
調整装置は、実質的に２つの機能を発揮しなければならない。
【００１１】
１．自動的な空隙調節（通常運転）、および
２．ブレーキバッド交換時の調整機構の手動リセット。
【００１２】
新しいブレーキパッドを取付ける際、ブレーキパッドをブレーキディスクに押し付ける押圧部材を後退させなければならない。これはねじ付きプランジャ（ねじ付き管）を戻し回転することによって行われる。このねじ付きプランジャは、ブレーキの使用中、自動的に作用する調整装置によって、パッド摩耗に相応して回転して突出する。
【００１３】
この戻し回転の際、調整装置はスパナを用いて手動で、いわゆる摩耗位置から出発位置へ戻し回転される。この場合、フリーホイールのロック方向とは反対方向に、調整装置を回転させなければならない。しかしながら、フリーホイールが百パーセントのロック作用を有するので、戻し回転を容易に行うことはできない。
【００１４】
そこで、本発明の課題は、手動リセットを改善した調整装置を提供することである。
【課題を解決するための手段】
【００１５】
この課題は請求項１の特徴を有する調整装置によって解決される。
【００１６】
この課題は、請求項９の特徴を有するディスクブレーキによっても解決される。
【００１７】
好ましくは空気圧操作式ディスクブレーキの調節スピンドルに挿入可能であり、かつ軸受ディスクによってディスクブレーキのブレーキキャリパに取付け可能であり、軸方向において駆動リングの一方の側に、スラスト軸受が形成され、軸方向において駆動リングの他方の側に、フリーホイール機能を有するボールランプクラッチが形成され、ボールランプクラッチが、ボールと、軸方向においてスラスト軸受とボールとの間の駆動側に配置された駆動リングと、被駆動側のクラッチリングとを備え、テーパクラッチが被駆動側のクラッチリングと円筒状コイルばね用のばねケースとの間に配置されている、回転レバーで操作されるブレーキ作動装置を備えたディスクブレーキのブレーキパッドとブレーキディスクの摩耗を調整するための調整装置において、軸方向においてテーパクラッチとばねケースとの間に、係合部（Ｆｏｒｍｇｅｈｅｍｍｅ）を有するトルクに依存するクラッチが配置されていることを特徴とする。
【００１８】
それによって、構造空間の有利性およびインターフェースの有利性が考慮され、かつ大部分の維持が可能であり、それによって簡単な交換が可能である。さらに、係合部、すなわち形状による拘束部を有し、トルクに依存するクラッチは、手動リセットの際に、音響的な特徴として典型的な騒音を生じる。この騒音は既に知られている方法で、所定の状態を操作人に簡単に知らせる。それによって、作業プロセスが簡単化される。
【００１９】
テーパクラッチが好ましくはボールテーパクラッチであり、このボールテーパクラッチが駆動側のクラッチリングと、トルクに依存するクラッチと協働する円錐ブッシュとを備え、被駆動側のクラッチリングと円錐ブッシュとの間にテーパボールが配置されていることにより、コンパクトな構造を得ることができる。特に、トルクに依存するクラッチがテーパクラッチの円錐ブッシュの一部とクラッチディスクとからなる爪車クラッチとして形成されているからである。係合部はそれぞれ対応する歯状部によって形成されている。クラッチディスクはばねケースに連結されている。
【００２０】
この構造は次の利点がある。
【００２１】
・手動による戻し回転の際、知られている典型的な騒音が発生する。
【００２２】
・静止位置においてフリーホイールがロック機能を有することにより、調整機構が弛まないようにする振動安全性が改善される。
【００２３】
・切削屑を生じない成形技術による、部品の低コスト製作。
【００２４】
好ましい実施形態では、対応する歯状部がテーパクラッチの一部に形成され、そして対向する端面歯状部としてクラッチディスクに形成されている。このような部品は切削屑を生じない成形によって低コストで製作可能である。
【００２５】
調整装置の戻し回転はフリーホイールのロック方向と反対方向に行われる。トルクに依存するクラッチが端面歯状部の調和によって、所定のトルクを超えると歯状部の「自由回転」（ｕｅｂｅｒｒａｔｓｃｈｅｎ）を可能にする。このクラッチの付勢は調整装置内に既に存在する円筒状コイルばねを介して行われる。この円筒状コイルばねは好ましくは調節可能である。トルクに依存するクラッチは、ボールランプクラッチよりも大きな伝達トルク用に形成されている。爪車クラッチが負荷切換えクラッチとも呼ぶことができるボールランプクラッチよりも前に応答すると、それに関連する大きな応力サイクルの数に基づいて、爪車クラッチの大きな摩耗が生じることになる。
【００２６】
この調整装置の場合、軸方向に作用する一方向クラッチが組み込まれている。この一方向クラッチはボールランプシステムと、摩擦クラッチ、特にボールテーパクラッチとによって形成される。
【００２７】
手動での戻し回転の際、回転運動は軸とばねケースを経て先ず最初に、トルクに依存する爪車クラッチとボールテーパクラッチに伝達される。そこから、トルクはボールテーパクラッチの摩擦連結部を経てボールランプクラッチに伝達される。ボールテーパクラッチとボールランプクラッチの自己ロック作用が調和しているので、固定作用を生じることになる。
【００２８】
クラッチリングと、シフトフォークに連結されているかまたはシフトフォークの一部を形成している駆動リングはそれぞれ、内側成形部を備え、この内側成形部により、両要素を静止位置でさらに戻し回転することを防止することができる。駆動リングとクラッチリングの支持は、相対回転しないように軸受されたつば付きブッシュで行われる。このつば付きブッシュはクラッチリングと駆動リングの内側成形部に嵌まる外側成形部を有する。伝達されたトルクが爪車クラッチの応答トルクを超えると、爪車クラッチは「自由に回転する」（ｄｕｒｃｈｒａｔｓｃｈｅｎ）ことになる。駆動リングとクラッチリングの内側成形部に対する外側成形部の当接によって、一方ではフリーホイールの固定作用が維持され、他方ではボールランプクラッチで回転しなくなる。そうでない場合、爪車クラッチが直ちに応答しないで、先ず最初にランプ軌道上でボールが端位置に達するまでボールランプクラッチを回転させることができる（ボールランプクラッチのトルク  ＜爪車クラッチのトルク）。
【００２９】
さらに、駆動リングの内側成形部とクラッチリングのストッパを位置決めする際に、駆動リングの内側成形部に対するつば付きブッシュの外側成形部のストッパが、クラッチリングの内側成形部に対するストッパよりも幾分早く作用する。これは、外側成形部と駆動リング内側成形部との当接を、外側成形部とクラッチリング内側成形部との当接よりも先行させるための角度遊びが、外側成形部と内側成形部との間に形成されていることによって達成される。
【００３０】
さらに、スラスト軸受の固定部分を形成するつば付きブッシュの他端が、ブレーキキャリパに取付けられた軸受ディスクに相対回転しないように固定されていると有利である。
【００３１】
スラスト軸受は、駆動リングの片側と、転動体と、つば付きブッシュのつばとによって形成されている。このつば付きブッシュは、ボールランプクラッチを通って軸方向に延在している。それによって、さらに、部品の多様性が低減し、コンパクトな構造が達成される。
【００３２】
ディスクブレーキ、特に空気圧で作動されるディスクブレーキは、上述の調整装置を備えている。
【００３３】
以下、添付図面を参照して典型的な実施の形態に基づいて本発明を説明する。
【図面の簡単な説明】
【００３４】
【図１】本発明に係る調整装置の実施の形態の縦断面図である。
【図２】図１の実施の形態を切断して示す斜視図である。
【図３】図１と図２の爪車クラッチの拡大斜視図である。
【図４】図１の実施の形態の領域Ｘの拡大横断面図である。
【図５】従来技術の調節装置の部分断面図である。
【図６】ディスクブレーキの概略図である。
【発明を実施するための形態】
【００３５】
図において、同一または同様の機能を有する要素には同様の参照番号が付けてある。
【００３６】
図６に示した空気圧式ディスクブレーキの構造と機能については、独国特許第１９７ ２９ ０２４ Ｃ１号明細書の対応する説明が引用される。図６には次の構成要素、すなわち、ディスクブレーキ２０、ブレーキディスク２１、ブレーキキャリパ２２、ブレーキパッド２３、横断部材２４、調節スピンドル２５および２６、押圧部材２７、スプロケット２８、チェーン２９、偏心体３０および回転レバー３１が記載されている。この回転レバーは駆動要素３２を備え、この駆動要素は調整装置１のシフトフォークと協働する。調整装置１はここでは調節スピンドル２５内に配置されている。このような調整装置１について詳細に説明する。この調整装置１は電動モータで作動されるディスクブレーキにも適している。
【００３７】
ここで図１および図２を参照する。
【００３８】
図１は本発明に係る調整装置１の実施の形態の縦断面図であり、図２は図１の実施形態を切断して示す斜視図である。
【００３９】
調整装置１は、以下の要素を備えている。すなわち、上端に駆動ジャーナル１５を有する軸２、調整装置１をブレーキキャリパ２２（図６参照）内に固定するための軸受ディスク３、この軸受ディスク３に相対回転しないように取付けられたつば付きブッシュ４、このつば付きブッシュは上側のつばを有し、このつばはその下方に配置された、スラスト軸受４のボールのための軸受面を有する、回転レバー３１の駆動要素３２（図６参照）に連結されているシフトフォークに連結された駆動リング６、円錐ブッシュ１７と協働するクラッチリング８を備えたボールランプクラッチ７、この円錐ブッシュは係合部を有しトルクに依存するクラッチ１６を介してばねケース１１に相対回転しないように連結されている、ばねケース１１内に配置されかつ成形ディスク１３に支持された円筒状コイルばね１０、および調節要素１４を備え、この調節要素１４は、例えば軸２の下端に配置され、円筒状コイルばね１０を固定し、調整装置１の要素をばらばらにならないように軸方向に保持する働きをするナットである。
【００４０】
この調整装置１の場合、軸方向に作用する一方向クラッチ（フリーホイール）が組み込まれている。この一方向クラッチはボールランプクラッチ７と、摩擦クラッチまたはテーパクラッチ９、特にボールテーパクラッチとによって形成されている。
【００４１】
ボールランプクラッチ７は駆動リング６と、ランプボール４２すなわち転動体と、クラッチリング８とからなっている。この場合、クラッチリング８はボールを収容するための上側部分と、テーパクラッチ９の一部を形成する下側部分を有する。調整装置１の一般的な機能は特許文献１において図５を参照して詳細に説明されている。ここで、この図５が参照される。
【００４２】
図５の調整装置との第１の相違点は、いわゆる爪車クラッチ（以下、爪車クラッチと呼ぶ）として形成された、係合部を有しトルクに依存するクラッチ１６である。このクラッチについてはさらに詳細に後述する。この爪車クラッチ１６は円錐ブッシュ１７の一部と協働し、そのクラッチディスク１８は、ばねケース１１に対して相対回転しないように連結されている。
【００４３】
図５の調整装置との他の相違点として、本発明に係る調整装置１の場合には、スラスト軸受４が、つば付きブッシュ５のつばと、駆動リング６の片側と、転動体とによって形成されている。ボールランプクラッチ７を通って延在するつば付きブッシュ５の下端は、直接的にあるいはスラストワッシャを介して円錐ブッシュ１７用の軸方向ストッパを形成している。円錐ブッシュ１７は爪車クラッチ１６を介して円筒状コイルばね１０によって上方へ押されている。この場合、構成要素である爪車クラッチ１６と、テーパクラッチ９と、ボールランプクラッチ７と、スラスト軸受４はばらばらにならないように軸方向に保持され、かつ押圧されている。つば付きブッシュ５のストッパは、軸受部の最小遊びを維持する働きをする。さらに、圧縮ばね１９がクラッチリング８と駆動リング６との間に配置されている。さらに、円錐ブッシュ１７はその上端が（図示した）スラストワッシャを介してつば付きブッシュ５の下端に支持可能である（さらに詳細は後述する）。
【００４４】
図３は、図１および図２に示した爪車クラッチ１６の拡大斜視図である。爪車クラッチ１６は、第１端面歯状部３４を有する円錐ブッシュ１７の下側部分と、この第１端面歯状部３４に対向する対応した第２端面歯状部３５を有するクラッチディスク１８とからなっている。クラッチディスク１８はさらに、ばねケース１１に連結するための凹部３６を有する。これについてはこれ以上説明しない。
【００４５】
図３の上側にあるテーパクラッチ９の円錐ブッシュ１７の部分は、テーパボール４３と協働するためのポケット３３を備えている。
【００４６】
いわゆる通常運転の際、ブレーキレバーまたは回転レバー３１（図６参照）によってシフトフォークと調整装置の駆動リング６に回転運動が伝達される。（シフトフォーク６とクラッチリング８との間の）ボールランプクラッチ７を介して、回転運動がボールテーパクラッチ９に伝達される。ボールランプクラッチ７とボールテーパクラッチ９の調和に基づいて、自己ロックし、トルクが後続配置の爪車クラッチ１６に伝えられることになる。トルクは爪車クラッチ１６からばねケース１１に伝えられ、そしてそこから縦方向歯状部を経てねじ付き管または調節スピンドル２５、２６（図６参照）に伝えられる。
【００４７】
通常運転では、２つの異なる運転状態が存在する。
【００４８】
運転状態１：  空隙（ブレーキパッド２３とブレーキディスク２１との間の隙間）が大きすぎると、自動調整が行われる。その際、固定されていない調節スピンドル２５、２６の必要な調節トルクはボールランプクラッチ７の負荷切換えトルクよりも小さい。従って、調節スピンドル２５、２６は力を加えない操作段階の間回転させられる。
【００４９】
運転状態２：  ブレーキパッド２３がブレーキディスク２１に接触し、調節スピンドル２５、２６が固定されている。ブレーキおよびブレーキパッド２３の変形に基づいて、力の釣り合いが達成されるまでブレーキレバーがさらに回転運動を行う。従って、調整装置１のシフトフォークまたは駆動リング６にさらに回転運動が伝えられる。この段階で調節スピンドル２５、２６がほとんど回転しないように固定されているので、上記の負荷切換えクラッチまたはボールランプクラッチ７が応答することになる。その際、シフトフォーク６とクラッチリング８との間に相対運動が生じる。ランプボール４２がシフトフォーク６とクラッチリング８のボールランプ４１（図４参照）上を転動することにより、クラッチリング８が円筒状コイルばね１０の力に抗して軸方向に押しのけられる。クラッチリング８はボールテーパクラッチ９を経て爪車クラッチ１６に力を伝達する。爪車クラッチ１６の応答トルクがボールランプクラッチ７の負荷切換えトルクよりも大きいので、爪車クラッチ１６において運動および摩耗応力を生じない。
【００５０】
ブレーキが解除されると、調整装置１において運動の逆転が生じることになる。その際、先ず最初に、ランプボール４２が再び元の位置までボールランプ４１上を下方へ転動する。元のボール位置に達すると、円筒状コイルばね１０はもはやボールランプクラッチ７を介してではなく、ストッパを介してつば付きブッシュ５に支持される。それによって、ボールテーパクラッチ９とボールランプクラッチ７には実質的に力が働かない。ブレーキの操作時に調整が行われる場合には、戻り回転するシフトフォーク６によってボールテーパクラッチ９が回転する（フリーホイール機能）。従って、調節スピンドル２５、２６は前に調整された位置にとどまる。
【００５１】
軸２は図１と図２においてその上端に、駆動ジャーナル１５を備えている。この駆動ジャーナルは対応するスパナのために例えば六角の断面形状を有する。この駆動ジャーナルに装着される工具、例えばオフセットリングスパナによって、軸２は図示した矢印の方向に反時計回りに回転させられる。このように手動で戻す場合には、トルクは軸２とばねケース１１を経て先ず最初に爪車クラッチ１６とボールテーパクラッチ９に伝達される。そこから、トルクはボールテーパクラッチ９の摩擦連結部を経てボールランプクラッチ７に伝えられる。ボールテーパクラッチ９とボールランプクラッチ７の自己ロックが調和しているので、固定作用を生じることになる。
【００５２】
クラッチリング８とシフトフォークまたは駆動リング６はそれぞれ内側成形部を備えている。この内側成形部によって、静止位置において両要素のさらなる戻り回転を防止することができる。そのために、図４は図１の実施の形態の領域Ｘの横断面を概略的に示している。駆動リング６とクラッチリング８の支持は、相対回転しないように軸受されたつば付きブッシュ５で行われる。このつば付きブッシュはクラッチリング内側成形部３８と駆動リング内側成形部３９に嵌まる外側成形部３７を有する。伝達されたトルクが爪車クラッチ１６の応答トルクを超えると、爪車クラッチ１６の爪が係合を解除されることになる。駆動リング６とクラッチリング８の外側成形部３７と内側成形部３８、３９が当接することにより、一方ではフリーホイールの固定作用が維持され、他方ではボールランプクラッチ７が回転しなくなる。そうでない場合には、爪車クラッチ１６が直ちに応答しないで、ランプボール４２がボールランプ４１の軌道上で端位置に達するまで、先ず最初にボールランプクラッチ７が回転させられる（ボールランプクラッチ７のトルク  ＜  爪車クラッチ１６のトルク）。
【００５３】
つば付きブッシュ５の外側成形部３７によって駆動リング６とクラッチリング８のストッパを設ける場合、駆動リング６のストッパ（駆動リング内側成形部３９）がクラッチリング内側成形部３８のストッパよりも幾分早く作用することに留意すべきである。というのは、そうしないと、フリーホイールの固定作用が調整装置１の静止位置で保証されないからである。
【００５４】
これは、その都度つば付きブッシュ５の外側成形部３７によって、クラッチリング内側成形部３８のストッパに対して駆動リング内側成形部３９を先行させることによって達成される。この外側成形部には遊び角度４０が設定さられている。
【００５５】
本発明は上記の実施の形態に限定されない。本発明は添付の特許請求の範囲内で変更可能である。
【００５６】
クラッチ１６の係合部として、いろいろな端面歯状部の組み合わせが可能である。
【００５７】
内側成形部と外側成形部３７、３８、３９は他の形をしていてもよい。
【符号の説明】
【００５８】
１        調整装置
２        軸
３        軸受ディスク
４        つば付きブッシュ
５        スラスト軸受
６        駆動リング
７        ボールランプクラッチ
８        クラッチリング
９        テーパクラッチ
１０      円筒状コイルばね
１１      ばねケース
１２      ケーステーパ部
１３      成形ディスク
１４      調節要素
１５      駆動ジャーナル
１６      クラッチ
１７      円錐ブッシュ
１８      クラッチディスク
１９      回転ばね
２０      ディスクブレーキ
２１      ブレーキディスク
２２      ブレーキキャリパ
２３      ブレーキパッド
２４      横断部材
２５      第１調節スピンドル
２６      第２調節スピンドル
２７      押圧部材
２８      スプロケット
２９      チェーン
３０      偏心体
３１      回転レバー
３２      駆動要素
３３      ポケット
３４      第１端面歯状部
３５      第２端面歯状部
３６      凹部
３７      外側成形部
３８      クラッチリング内側成形部
３９      駆動リング内側成形部
４０      遊び角度
４１      ボールランプ
４２      ランプボール
４３      テーパボール
【図１】
0005584211.tif 000002
【図２】
0005584211.tif 000003
【図３】
0005584211.tif 000004
【図４】
0005584211.tif 000005
【図５】
0005584211.tif 000006
【図６】
0005584211.tif 000007